(57)【要約】    【課題】構造を簡略化し且つ部品点数を低減し得る２段式のカップホルダ装置を提供する。    【解決手段】固定ケース２と、固定ケースに格納された格納位置及び固定ケースの開口から前方へ突出した引き出し位置の間で移動可能な可動ケース３と、可動ケースに格納された格納位置及び可動ケースの開口から前方へ突出した使用位置の間で移動可能なカップホルダ４とを備えるカップホルダ装置１において、格納位置ではカップホルダとその一端の突起１２が係合し、引き出し位置では固定ケースとその他端の爪１０が係合するように揺動可能に枢支され且つ固定ケース側へ常時弾発付勢された係合部材８を可動ケースに設ける。【選択図】図１
2005306182.tif 000002
【特許請求の範囲】
【請求項１】
前面が開口した固定体と、該固定体に格納された格納位置及び該固定体の開口から前方へ突出した引き出し位置の間で移動可能であり且つ前面が開口した可動体と、該可動体に格納された格納位置及び該可動体の開口から前方へ突出した使用位置の間で移動可能な保持体とを備え、前記保持体の前面を押し引きすることで前記可動体および前記保持体が移動するカップホルダ装置であって、
前記可動体は、格納位置では前記保持体とその一端が係合し、引き出し位置では前記固定体とその他端が係合するように揺動可能に枢支され且つ前記固定体側へ常時弾発付勢された係合部材を有し、
引き出し操作時にあっては、前記係合部材が前記保持体に係合して前記可動体と前記保持体とが一体となって引き出し位置まで移動し、
前記可動体及び前記保持体が引き出し位置に到達すると前記係合部材が前記固定体と係合し且つ前記保持体から離脱して該保持体の使用位置への移動が許容され、
格納操作時にあっては、前記係合部材が前記固定体と係合して前記可動体と前記固定体とが一体となって前記可動体内の格納位置への前記保持体の移動を許容し、
前記可動体内の格納位置に前記保持体が到達すると前記係合部材が前記固定体から離脱し且つ前記保持体に係合して前記可動体と前記保持体とが一体となって前記固定体内の格納位置まで移動するようにしてなることを特徴とするカップホルダ装置。
【請求項２】
前記固定体の開口は斜め下方を向いており、前記可動体は前記固定体に対して直線上を移動し、前記保持体は前記可動体に対して円弧上を移動することを特徴とする請求項１に記載のカップホルダ装置。
【発明の詳細な説明】
【技術分野】
【０００１】
本発明は、カップホルダ装置に関し、特に自動車のインストルメントパネルやセンターコンソールなどに格納され、使用時に引き出すように構成されたカップホルダ装置に関するものである。
【背景技術】
【０００２】
自動車のインストルメントパネルやセンターコンソールなどには、引き出し可能なカップホルダ装置が設けられることがある。このカップホルダ装置は、使用時にはパネル面からカップホルダが大きく突出することができ、しかも組み付けに要するスペースはできるだけ小さくて済むことが好ましく、インストルメントパネルなどに固定される固定ケースと、固定ケースに摺合したスライドケースと、スライドケースに摺合したカップホルダとからなり、２段階に引き出すことができるように構成されたものが知られている（特許文献１を参照されたい）。
【０００３】
このような２段階に引き出すカップホルダ装置において、１段目と２段目とのそれぞれにロック機構を設け、これら２つのロック機構の作動荷重を互いに違えることにより、引き出し操作時並びに格納操作時の１段目と２段目との作動順序を規定したものも知られている（特許文献２を参照されたい）。
【特許文献１】実開平２−１１５７３４号公報
【特許文献２】特開２００３−３２５２５５号公報
【発明の開示】
【発明が解決しようとする課題】
【０００４】
しかるに、特許文献２に提案されている構造のカップホルダ装置によると、１段目と２段目とに個々にロック機構が必要なため、その構成が複雑化しがちである上、部品点数も多くなりがちであった。
【課題を解決するための手段】
【０００５】
このような課題を解決し、構造を簡略化し且つ部品点数を低減し得る２段式のカップホルダ装置を提供するため、本発明の請求項１は、固定体（固定ケース２）と、固定体に格納された格納位置及び固定体の開口から前方へ突出した引き出し位置の間で移動可能な可動体（可動ケース３）と、可動体に格納された格納位置及び可動体の開口から前方へ突出した使用位置の間で移動可能な保持体（カップホルダ４）とを備えるカップホルダ装置（１）において、格納位置では保持体とその一端（突起１２）が係合し、引き出し位置では固定体とその他端（爪１０）が係合するように揺動可能に枢支され且つ固定体側へ常時弾発付勢された係合部材（８）を可動体に設け、引き出し操作時にあっては、係合部材が保持体に係合して可動体と保持体とが一体となって引き出し位置まで移動し、可動体及び保持体が引き出し位置に到達すると係合部材が固定体と係合し且つ保持体から離脱して保持体の使用位置への移動が許容され、格納操作時にあっては、係合部材が固定体と係合して可動体と固定体とが一体となって可動体内の格納位置への保持体の移動を許容し、可動体内の格納位置に保持体が到達すると係合部材が固定体から離脱し且つ保持体に係合して可動体と保持体とが一体となって固定体内の格納位置まで移動するようにしてなることを特徴とするものとした。
【０００６】
また本発明の請求項２は、固定体の開口は斜め下方を向いており、可動体は固定体に対して直線上（直線状ガイド溝５）を移動し、保持体は可動体に対して円弧上（円弧状ガイド溝７）を移動することを特徴とするものとした。
【発明の効果】
【０００７】
このような本発明の請求項１の構成によれば、係合部材をシーソー式に揺動可能とし、一端が可動体に係合しているときには他端は固定体に係合せず、他端が固定体に係合しているときには一端は可動体に係合しないものとすることができるので、１段目と２段目とを選択的に結合・分離させる機構が一つで済ませられることとなり、２段式のカップホルダ装置の構造を簡略化し且つ部品点数を低減する上に多大な効果を奏することができる。特に請求項２の構成によれば、斜めに引き出してもカップの載置面が水平となるように構成することができるので、全体を傾斜させて組み付けることが可能となり、組み付けに要するスペースをより一層削減することができる。
【発明を実施するための最良の形態】
【０００８】
以下に添付の図面を参照して本発明について詳細に説明する。
【０００９】
図１〜３は、本発明に基づき構成されたカップホルダ装置を示しており、図１は全格納状態を、図２は一段目の引き出し途中状態を、図３は一段目が完全に引き出され、二段目を引き出そうとしている状態をそれぞれ示している。このカップホルダ装置１は、例えばセンタコンソールの内側に固定された固定ケース２と、固定ケース２に摺合した可動ケース３と、可動ケース３に摺合したカップホルダ４とからなっている。
【００１０】
固定ケース２は、金属板を曲げ加工してなり、取り付け状態で斜め下方を向く面が開放された概ね角筒状をなしており、水平に対して概ね４５度に傾斜した直線状ガイド溝５がその側壁内面に設けられている。
【００１１】
可動ケース３は、合成樹脂材の射出成型にて固定ケース２と概ね相似形の角筒状に形成されており、固定ケース２の直線状ガイド溝５に係合する直線状突条６がその側壁外面に形成され、固定ケース２内に格納された位置と固定ケース２の開口から突出した位置との間を移動可能になっている。また可動ケース３の側壁の内面には、図において斜め左下向きに凸となる円弧状のガイド溝７が形成されている。そして可動ケース３の上壁の後端側には、固定ケース２とカップホルダ４とのいずれか一方に可動ケース３を選択的に結合させる係合部材８が枢支されている。
【００１２】
係合部材８は、中間部を枢支されてシーソー式に揺動し、且つ枢軸に巻装されたねじりコイルばね（図示せず）により、図における反時計回りに弾発的に回動付勢されている。そして固定ケース２から引き出した位置で固定ケース２の上壁の前側に設けられた孔９に突入する爪１０がその前端に形成され、カップホルダ４の上部後端側に設けられた係合凹部１１と係合可能な突起１２がその中間部の下面に形成されている。
【００１３】
カップホルダ４は、合成樹脂材の射出成型にて形成されており、固定ケース２並びに可動ケース３の開口を塞ぐための蓋１３がその前面に一体形成されると共に、可動ケース３の側壁内面の円弧状ガイド溝７に係合する円弧状の突条１４がその両側部外面に形成されている。また、引き出した時に垂直状態の飲料容器を保持する保持部１５が蓋１３の内側に形成されている。そして引き出した時に水平となる保持部１５の底壁下面には、シーソー式に揺動するロック部材１６が枢支されている。
【００１４】
ロック部材１６は、固定ケース２の底壁の前端側に設けられた孔１７に突入する係合爪１８がその後端に形成され、前端を上向きに、換言すると後端を下向きに弾発付勢するコイルばね１９がその前端に縮設されている。またロック部材１６の前端側の上面には、力点であるノブ２０が蓋１３の前面に露出したロック解除レバー２１の作用点が当接している。
【００１５】
次に本発明装置の作動要領について説明する。
【００１６】
使用しない状態では、図１に示したように、可動ケース３にカップホルダ４が格納され、カップホルダ４を格納した可動ケース３が固定ケース２に格納されており、カップホルダ４の前面の蓋１３が可動ケース３及び固定ケース２の開口を塞いでいる。そして可動ケース３に枢支された係合部材８は、カップホルダ４の後端部の係合凹部１１に突起１２を当接させて前下がりに傾斜している。またカップホルダ４のロック部材１６の爪１８が固定ケース２の下壁前端の孔１７に係合している。これらにより、全格納状態が保持されている。
【００１７】
この状態からロック解除レバー２１のノブ２０を押し下げてロック部材１６の係合爪１８を固定ケース２の下壁前端の孔１７から離脱させつつ蓋１３を前方へ引くと、可動ケース３に枢支された係合部材８の突起１２がカップホルダ４の係合凹部１１に係合しているので、カップホルダ４と共に可動ケース３が固定ケース２の側壁内面の直線状のガイド溝５に沿って斜め前下向きに引き出される。そして可動ケース３が引き出し位置に到達すると、係合部材８の爪１０が固定ケース２の上壁の孔９に突入して係合部材８が前上がりに傾動し、突起１２が係合凹部１１から離脱し、可動ケース３とカップホルダ４とが分離する。従って、カップホルダ４のみがさらに前方へ引き出される。
【００１８】
ここでカップホルダ４は円弧状のガイド溝７でガイドされているので、その蓋１３を斜め前下向きに引き出すと、蓋１３の前面が徐々に前方を向き、最終的な引き出し位置では、図４に併せて示すように、カップホルダ４に一体形成された飲料容器の保持面２４が水平を向くこととなる。
【００１９】
なお、このカップホルダ４の両側部には、左右に揺動可能にその後端を枢着され、且つ常時拡開方向へばね付勢された一対のサイド保持板２５が設けられている。このサイド保持板２５は、カップホルダ４が可動ケース３に格納された状態では、可動ケース３の側壁に押されて閉じ、可動ケース３からカップホルダ４を引き出すと、その前端をウイング状に拡開するようになっている。これにより、保持部１５には３つの飲料容器を保持することができるようになっている。
【００２０】
格納時は、上述の手順の逆にカップホルダ４の蓋１３を押し込むと、係合部材８の爪１０が固定ケース２の上壁の孔９に突入しているために可動ケース３が固定ケース２から引き出された状態が保持されたままカップホルダ４のみが押し込まれる。そしてカップホルダ４の後端部上面２２が係合部材８の後端側に形成された短寸突起２３に突き当たると、係合部材８が時計回りに傾動して爪１０が孔９から離脱し、可動ケース３は固定ケース２との結合が解除され、引き続きカップホルダ４に押されて固定ケース２内に収容される。可動ケース３と共にカップホルダ４を固定ケース２内に一杯に押し込むと、ロック部材１６の爪１８が固定ケース２の下壁の孔１７に突入して全格納状態が保持される。
【００２１】
このようにして、２つに分割された可動ケース３及びカップホルダ４のうちのカップホルダ４に対してなされる単純な引き出し操作あるいは押し込み操作をもって、これら可動ケース３及びカップホルダ４が、規則的な移動順序に従って固定ケース２に格納されることとなる。
【図面の簡単な説明】
【００２２】
【図１】本発明装置の全格納状態を一部切除して示す側面図である。
【図２】本発明装置の一段目の引き出し途中状態を一部切除して示す側面図である。
【図３】本発明装置の一段目が完全に引き出され、二段目を引き出そうとしている状態を一部切除して示す側面図である。
【図４】本発明装置の使用状態を示す斜視図である。
【符号の説明】
【００２３】
１  カップホルダ装置
２  固定ケース（固定体）
３  可動ケース（可動体）
４  カップホルダ（保持体）
５  直線状ガイド溝
７  円弧状ガイド溝
８  係合部材
１０  爪（一端）
１２  突起（他端）
【図１】
2005306182.tif 000003
【図２】
2005306182.tif 000004
【図３】
2005306182.tif 000005
【図４】
2005306182.tif 000006